(57)【特許請求の範囲】
【請求項１】
ネスティング及びスタッキング可能な上面開放の箱形構造物であるＳＮコンテナーであって、互いに対向した１対の第１主要側壁のうち少なくとも一方の第１主要側壁の外面にカードホルダーを備えることができると共に、前記第１主要側壁を挟んで対向した１対の第２主要側壁の複数位置に、それら第２主要側壁の一部を外側に膨出させた複数の縦長膨出部を形成して、前記縦長膨出部の内側を受容溝とし、
スタッキング状態では、下側のＳＮコンテナーの上面に上側のＳＮコンテナーの前記縦長膨出部の下端部が突き当たる一方、ネスティング状態では、下側のＳＮコンテナーの前記受容溝に上側のＳＮコンテナーの前記縦長膨出部が受容されかつ、上下のＳＮコンテナーの所定部位同士が当接して上下の前記第１主要側壁同士が離れ、それら第１主要側壁同士の間に前記カードホルダーが収容されるＳＮコンテナーにおいて、
前記第１主要側壁における横方向の一端部を外側に膨出させて縦長の拡張膨出部が形成されると共に、一方の前記第２主要側壁の横方向の端部に配置された前記縦長膨出部の一側壁が、前記拡張膨出部の一側壁から立ち上がり、
前記拡張膨出部のうち膨出方向の先端に位置した膨出先端壁及び前記第１主要側壁及び前記第２主要側壁が、何れも下側に向かって内側に傾斜しかつ、前記第１主要側壁の鉛直線に対する傾斜角が、前記膨出先端壁及び前記第２主要側壁の鉛直線に対する傾斜角より大きいことを特徴とするＳＮコンテナー。
【請求項２】
前記１対の第１主要側壁の間で互いに対向した位置に前記拡張膨出部をそれぞれ配置すると共に、一方の前記第２主要側壁における両端部の前記縦長膨出部を、前記各拡張膨出部の一側壁から立ち上がるように配置したことを特徴とする請求項１に記載のＳＮコンテナー。
【請求項３】
前記第１主要側壁のうち一端部に備えた前記拡張膨出部から他端部に亘った部分を平坦面とし、
前記カードホルダーは、下端部がＳＮコンテナーに固定されて上方に延び、前記第１主要側壁との間にカードを挟持可能な片持ち梁構造をなしたことを特徴とする請求項１又は２に記載のＳＮコンテナー。
【請求項４】
前記ＳＮコンテナーの上端部から側方にフランジ部が張り出し、
前記フランジ部の下面のうち前記カードホルダーを挟んで前記拡張膨出部と反対側部分には、前記カードの上端一角部に係止可能なカード係止部が形成されたことを特徴とする請求項３に記載のＳＮコンテナー。
【発明の詳細な説明】
【技術分野】
【０００１】
本発明は、スタッキング及びネスティングが可能であると共に、カードホルダーを一側面に備えたＳＮコンテナーに関する。
【背景技術】
【０００２】
従来、この種のＳＮコンテナーとして、側壁の複数位置を外側に膨出させて複数の縦長膨出部を形成しかつそれらの内側を受容溝としたものが知られている。このＳＮコンテナーでは、スタッキングした際には、相手側ＳＮコンテナーにおける上面に縦長膨出部の下端面が当接し、ネスティングした際には、相手側ＳＮコンテナーの受容溝に縦長膨出部が受容される。また、縦長膨出部は、側壁同士が交差することでコンテナーにおいて比較的強度が高くなっている角部の近傍に配置されている（例えば、特許文献１参照）。
【０００３】
また、スタッキング及びネスティング機能を有しない通常のコンテナーの一側壁に、カードホルダーを備えたものが知られている。そのカードホルダーは、例えば、一側壁の下縁部に固定されて上方に延び、一側壁との間にカードを挟持可能な片持ち梁構造になっている（例えば、特許文献２参照）。
【特許文献１】実開平４−２１４３５号公報（第１図、第３図）
【特許文献２】実公昭６３−１１０７６号公報（実用新案登録請求の範囲、第２図）
【発明の開示】
【発明が解決しようとする課題】
【０００４】
ところで、上記した従来のＳＮコンテナーの一側壁にカードホルダーを設けた場合には、ネスティング時にカードホルダーが相手側ＳＮコンテナーに干渉して押し潰される事態が生じ得る。これに対し、例えば、図１２（Ａ）に示したＳＮコンテナー１のように、カードホルダー３を備えた第１側壁４を寝かせる方向に傾斜角を変更することで、図１２（Ｂ）及び図１３に示すようにネスティング状態における上下の第１側壁４，４同士の間を広くし、そこにカードホルダー３を収容する構成が考えられる。
【０００５】
しかしながら、そのような構成にした場合には、図１２（Ａ）から図１２（Ｂ）の変化に示すように、第１側壁４の下端部が内側に入り込むことに伴って第１側壁４の両側の第２側壁５における縦長膨出部６を、角部から離す必要が生じ（図１２（Ａ）の矢印Ｙ参照）、強度が低下し得る。
【０００６】
本発明は、上記事情に鑑みてなされたもので、強度を確保しつつネスティング時のカードホルダーの干渉を防ぐことが可能なＳＮコンテナーの提供を目的とする。
【課題を解決するための手段】
【０００７】
上記目的を達成するためになされた請求項１の発明に係るＳＮコンテナーは、ネスティング及びスタッキング可能な上面開放の箱形構造物であるＳＮコンテナーであって、互いに対向した１対の第１主要側壁のうち少なくとも一方の第１主要側壁の外面にカードホルダーを備えることができると共に、第１主要側壁を挟んで対向した１対の第２主要側壁の複数位置に、それら第２主要側壁の一部を外側に膨出させた複数の縦長膨出部を形成して、縦長膨出部の内側を受容溝とし、スタッキング状態では、下側のＳＮコンテナーの上面に上側のＳＮコンテナーの縦長膨出部の下端部が突き当たる一方、ネスティング状態では、下側のＳＮコンテナーの受容溝に上側のＳＮコンテナーの縦長膨出部が受容されかつ、上下のＳＮコンテナーの所定部位同士が当接して上下の第１主要側壁同士が離れ、それら第１主要側壁同士の間にカードホルダーが収容されるＳＮコンテナーにおいて、第１主要側壁における横方向の一端部を外側に膨出させて縦長の拡張膨出部が形成されると共に、一方の第２主要側壁の横方向の端部に配置された縦長膨出部の一側壁が、拡張膨出部の一側壁から立ち上がり、拡張膨出部のうち膨出方向の先端に位置した膨出先端壁及び第１主要側壁及び第２主要側壁が、何れも下側に向かって内側に傾斜しかつ、第１主要側壁の鉛直線に対する傾斜角が、膨出先端壁及び第２主要側壁の鉛直線に対する傾斜角より大きいところに特徴を有する。
【０００８】
請求項２の発明は、請求項１に記載のＳＮコンテナーにおいて、１対の第１主要側壁の間で互いに対向した位置に拡張膨出部をそれぞれ配置すると共に、一方の第２主要側壁における両端部の縦長膨出部を、各拡張膨出部の一側壁から立ち上がるように配置したところに特徴を有する。
【０００９】
請求項３の発明は、請求項１又は２に記載のＳＮコンテナーにおいて、第１主要側壁のうち一端部に備えた拡張膨出部から他端部に亘った部分を平坦面とし、カードホルダーは、下端部がＳＮコンテナーに固定されて上方に延び、第１主要側壁との間にカードを挟持可能な片持ち梁構造をなしたところに特徴を有する。
【００１０】
請求項４の発明は、請求項３に記載のＳＮコンテナーにおいて、ＳＮコンテナーの上端部から側方にフランジ部が張り出し、フランジ部の下面のうちカードホルダーを挟んで拡張膨出部と反対側部分には、カードの上端一角部に係止可能なカード係止部が形成されたところに特徴を有する。
【発明の効果】
【００１１】
請求項１のＳＮコンテナーでは、ネスティング状態になった上下のＳＮコンテナーの間で所定部位同士が当接して、上下の第１主要側壁同士が離され、それら第１主要側壁同士の間にカードホルダーが収容される。ここで、第１主要側壁の鉛直線に対する傾斜角を大きくすると、上下の第１主要側壁同士の間隔が広くなり、比較的厚いカードホルダーも収容可能になる。このとき、従来のものでは、第１主要側壁の傾斜角の変更に伴って縦長膨出部を角部から離す必要が生じたが、本発明では、第１主要側壁の横方向における一端部を外側に膨出させて拡張膨出部を形成したことで、一方の第２主要側壁と第１主要側壁とが拡張膨出部を挟んで隔絶され、第１主要側壁の傾斜角の変更による影響を受けない。そして、一方の第２主要側壁の縦長膨出部を、その第２主要側壁の端部において、拡張膨出部の先端角部に接近させて配置することができ、強度が確保される。このように、本発明によれば、ＳＮコンテナーの角部寄り位置に縦長膨出部を配置して強度を確保することができると共に、ネスティング時のカードホルダーの干渉を防ぐことが可能になる。
【００１２】
具体的には、請求項２の発明のように、１対の第１主要側壁の間で互いに対向した位置に拡張膨出部をそれぞれ配置すると共に、一方の第２主要側壁における両端部の縦長膨出部を、各拡張膨出部の一側壁から立ち上がるように配置することが好ましい。
【００１３】
請求項３の構成によれば、第１主要側壁のうち一端部に備えた拡張膨出部から他端部に亘った部分を平坦面にしたので、その平坦面に沿ってカードをカードホルダーの内側に容易に挿入することができる。そして、カードホルダーの内側に挿入したカードを拡張膨出部に突き当てて位置決めすることができる。また、請求項４の構成によれば、カードホルダーに挿入したカードの上端一角部を、カード係止部に係止して抜け止めすることができると共にフランジ部によりカードが上方から保護される。
【発明を実施するための最良の形態】
【００１４】
以下、本発明の一実施形態を図１〜図１１に基づいて説明する。
図１に示すように本実施形態のＳＮコンテナー１０は、上面が開放した箱形構造をなし、その平面形状は長方形になっている。ＳＮコンテナー１０の上端部からは、側方に上端フランジ壁１１が張り出されている。また、ＳＮコンテナー１０のうち上端フランジ壁１１の下方位置からは、上端フランジ壁１１と外縁形状が同一の補強フランジ壁１２が側方に張り出され、これら上端フランジ壁１１と補強フランジ壁１２との相互間が複数の補強リブ１３によって接合されて本発明に係るフランジ部１４が構成されている。
【００１５】
図２に示すようにＳＮコンテナー１０の下面には、底壁１５全体に格子形リブ１５Ｌが形成されている。格子形リブ１５Ｌは、ＳＮコンテナー１０の長手方向の中心部分で段差状に低くなっており、その段差部の両側の各格子形リブ１５Ｌが囲壁１５Ｈにて側方から囲まれている。
【００１６】
図１に示すようにＳＮコンテナー１０のうち１対の短辺に相当する１対の第１主要側壁１６，１６と、１対の長辺に相当する１対の第２主要側壁２０Ａ，２０Ｂとは、共に、下端側が内側に向かうように傾斜している。そして、第２主要側壁２０Ａ，２０Ｂに比べて第１主要側壁１６，１６の鉛直線に対する傾斜角が大きくなっている。
【００１７】
図３に示すように両第１主要側壁１６，１６には、カードホルダー１８，１８がそれぞれ取り付けられている（図３には、１つのカードホルダー１８のみが示されている。図１０参照）。カードホルダー１８は、略矩形の枠形構造をなし、その下辺部１８Ａの両端から１対の固定片１８Ｋ，１８Ｋが垂下している。また、カードホルダー１８のうち上辺部１８Ｃの中央と下辺部１８Ａの中央との間が連絡壁１８Ｄにて連絡されている。そして、第１主要側壁１６の下方の囲壁１５Ｈに、図示しない１対の突起が形成され、これら突起に固定片１８Ｋ，１８Ｋが係合して、カードホルダー１８の下端部がＳＮコンテナー１０の下端部に固定されている。そして、カードホルダー１８は第１主要側壁１６の上下方向の略中央に位置し、第１主要側壁１６に沿って斜め上方に片持ち梁状に延びている。詳細には、図２に示すようにカードホルダー１８の両側辺部１８Ｂ，１８Ｂは、図１に示すように上下方向の中間部分が第１主要側壁１６から離れるように山形に屈曲している。また、カードホルダー１８の上辺部１８Ｃは、左右方向の中央部が第１主要側壁１６側に屈曲している。これにより、カードホルダー１８の上辺部１８Ｃが第１主要側壁１６に押し付けられている。
【００１８】
図４に示すように両第１主要側壁１６，１６には、その横方向における一端部を側方に膨出させて縦長の拡張膨出部１９，１９がそれぞれ成形されている。また、第１主要側壁１６，１６の間で拡張膨出部１９，１９は、互いに対向する位置に配置されている。より具体的には、図５に示すように拡張膨出部１９は、第１主要側壁１６に対して側方に起立した１対の膨出側壁１９Ａ，１９Ａの先端間を膨出先端壁１９Ｂで塞ぎかつ、膨出側壁１９Ａ，１９Ａの下端部間を下端部壁１９Ｃで塞いだ構造をなしている。また、一方の膨出側壁１９Ａは、第２主要側壁２０Ａの延長上に位置しかつ丸みを帯びて膨出先端壁１９Ｂに連続している。膨出側壁１９Ａ，１９Ａは、下端部に向かうに従って互いに接近するように傾斜している（図３参照）。膨出先端壁１９Ｂは、図１に示すように鉛直線に対する傾斜角が第２主要側壁２０Ａ，２０Ｂとほぼ同じ角度をなして、下方に向かうに従って内側に傾斜している。下端部壁１９Ｃは底壁１５から延設され、下端部壁１９Ｃの外側下面からは筒壁１９Ｄが垂下している。この筒壁１９Ｄの下面は格子形リブ１５Ｌと面一になっている。また、拡張膨出部１９の内側は、上面に開放した拡張受容溝１９Ｍになっている。
【００１９】
図４に示すようにＳＮコンテナー１０のうち１対の長辺に相当する１対の第２主要側壁２０Ａ，２０Ｂには、それぞれ長手方向の４箇所に縦長膨出部２２が形成され、その縦長膨出部２２の内側が、上面に開放した受容溝２２Ｍになっている。縦長膨出部２２は、第２主要側壁２０Ａ，２０Ｂに対して側方に起立した１対の膨出側壁２２Ａ，２２Ａの先端間を膨出先端壁２２Ｂで塞ぎかつ、膨出側壁２２Ａ，２２Ａの下端部間を下端部壁２２Ｃで塞いだ構造をなしている。膨出側壁２２Ａ，２２Ａは、下端部に向かうに従って互いに接近するように傾斜している。下端部壁２２Ｃは、膨出先端壁２２ＢからＳＮコンテナー１０の内側に向かうに従って下るように傾斜している。また、図２に示すように、膨出側壁２２Ａ，２２Ａ及び膨出先端壁２２Ｂに囲まれた空間は、下端部壁２２Ｃより下方側が下面に開放している。さらに、縦長膨出部２２の下端部には、膨出側壁２２Ａ，２２Ａ及び膨出先端壁２２Ｂからなる門形の下端面２２Ｄが形成されている。そして、膨出側壁２２Ａ，２２Ａの下方には、１対のズレ防止突起２３，２３が囲壁１５Ｈから側方への突出しており、それらズレ防止突起２３，２３の突出量は、膨出側壁２２Ａの半分程度になっている。
【００２０】
図５に示すように、これら縦長膨出部２２は、両第２主要側壁２０Ａ，２０Ｂの間で互いに各第２主要側壁２０Ａ，２０Ｂの長手方向でずれた配置になっている。具体的には、第１主要側壁１６において拡張膨出部１９を備えた側に配置された一方の第２主要側壁２０Ａに関しては、その長手方向の両端の縦長膨出部２２，２２が、両第１主要側壁１６，１６の各拡張膨出部１９，１９に一体形成されている。そして、各縦長膨出部２２における一方の膨出側壁２２Ａが、拡張膨出部１９の一方の膨出側壁１９Ａから立ち上がっている。また、残り２つの縦長膨出部２２，２２は、第２主要側壁２０Ａの長手方向の中央寄り位置に配置され、この第２主要側壁２０Ａにおける４つの縦長膨出部２２が第２主要側壁２０Ａの長手方向の中心に対して左右対称になっている。
【００２１】
他方の第２主要側壁２０Ｂに関しては、両端部の縦長膨出部２２，２２が、一方の第２主要側壁２０Ａにおける両端の縦長膨出部２２，２２に対して、長手方向の中央寄り位置にそれぞれずらして配置されている。また、残りの２つの縦長膨出部２２，２２は、一方の第２主要側壁２０Ａにおける中央側の２つの縦長膨出部２２，２２に対して、両端寄り位置にずらして配置されている。そして、この第２主要側壁２０Ｂにおいても４つの縦長膨出部２２が長手方向の中心に対して左右対称になっている。
【００２２】
フランジ部１４の上面における内縁側の複数位置には、矩形陥没部２４がそれぞれ陥没形成され、各矩形陥没部２４の底面から突起２４Ａが上方に突出している。そして、図６に示すようにＳＮコンテナー１０をスタッキングした際に、各縦長膨出部２２の下面が矩形陥没部２４の底面に当接し、縦長膨出部２２の下部空間に突起２４Ａが突入するようになっている。また、このときズレ防止突起２３が第２主要側壁２０Ａ，２０Ｂの内面上端部に内側から突き合わされる。さらに、スタッキングした際に拡張膨出部１９の下端部は、第１主要側壁１６及び第２主要側壁２０Ａで構成された角部の内側に入り込むようになっている。
【００２３】
図３に示すように、フランジ部１４の下面には指掛け部１４Ａが形成されている。指掛け部１４Ａは、フランジ部１４における補強フランジ壁１２のうち第１主要側壁１６の両端寄り位置に１対の段差部を設けて、それら段差部の間に位置した補強フランジ壁１２の一部を上方にシフトしてなる。そして、補強フランジ壁１２のうち拡張膨出部１９と反対側の段差部が、本発明に係るカード係止部１４Ｂになっている。また、第１主要側壁１６のうちフランジ部１４の下方においては、第１主要側壁１６のうち一端部に備えた拡張膨出部１９から他端部に亘る部分が平坦面になっている。
【００２４】
次に、上記構成からなる本実施形態の動作を説明する。
本実施形態に係るＳＮコンテナー１０に荷物を収容した際には、その荷物の内容を特定するためのカード９０を図３に示すようにカードホルダー１８の内側に挿入する。このとき、第１主要側壁１６の平坦面に沿ってカード９０を側方から滑らせて、カードホルダー１８の内側に容易に挿入することができる。そして、カードホルダー１８の内側に挿入したカード９０を拡張膨出部１９に突き当てて位置決めすることができる。また、カードホルダー１８に挿入したカード９０は、フランジ部１４の下面に備えたカード係止部１４Ｂに係止して抜け止めされる。さらに、カード９０は、フランジ部１４により上方が覆われて保護される。
【００２５】
なお、カード９０は、上方からカードホルダー１８の内側に挿入することもできる。また、カード９０を取り出すには、カード９０及びカードホルダー１８を撓ませて側方又は上方に抜けばよい。
【００２６】
ＳＮコンテナー１０に荷物を収容した状態でＳＮコンテナー１０を積み上げるには、上下のＳＮコンテナー１０，１０同士を相対的に１８０度旋回させた状態にして、図６に示すように下方のＳＮコンテナー１０の上面に備えた矩形陥没部２４に、上方のＳＮコンテナー１０における各縦長膨出部２２の下端面２２Ｄを突き合わせてスタッキング状態にする。すると、図７に示すように上のＳＮコンテナー１０が下側のＳＮコンテナー１０の上端部に保持されて、下側のＳＮコンテナー１０の荷物と上側のＳＮコンテナー１０との干渉が防がれる。
【００２７】
ＳＮコンテナー１０から荷物及びカード９０が取り出され、ＳＮコンテナー１０を返却する場合には、上下のＳＮコンテナー１０，１０同士の相対的な旋回角度を「０」にして、図８に示すように上下のＳＮコンテナー１０，１０同士を重ね合わせる。すると、下側のＳＮコンテナー１０の各受容溝２２Ｍ及び各拡張受容溝１９Ｍに、各縦長膨出部２２及び各拡張膨出部１９がそれぞれ受容されてネスティング状態になる。ネスティング状態になると、図９に示すように上下のＳＮコンテナー１０，１０のフランジ部１４，１４同士が当接して上下の第２主要側壁２０Ａ，２０Ａ（２０Ｂ，２０Ｂ）同士の間に僅かな隙間Ｓ１が形成されると共に、図１１に示すように拡張膨出部１９，１９における膨出先端壁１９Ｂ，１９Ｂ同士の間にも僅かな隙間Ｓ３が形成される。また、このとき図１０に示すように上下の第１主要側壁１６，１６同士の間にも隙間Ｓ２が形成される。ここで、第２主要側壁２０Ａ，２０Ｂ及び膨出先端壁１９Ｂに比べて、第１主要側壁１６，１６の鉛直方向に対する傾斜角は大きくなっているので、第２主要側壁２０Ａ，２０Ｂ及び膨出先端壁１９Ｂに係る隙間Ｓ１，Ｓ３より、第１主要側壁１６，１６同士の隙間Ｓ２の方が大きくなる。そして、この第１主要側壁１６，１６同士の間の隙間Ｓ２にカードホルダー１８が収容される。
【００２８】
ここで、本実施形態のように第１主要側壁１６の鉛直線に対する傾斜角を大きくすると、上下の第１主要側壁１６，１６同士の間隔が広くなり、比較的厚いカードホルダーも収容可能になる。この場合、従来のものでは、第１主要側壁の傾斜角の変更に伴って縦長膨出部を角部から離す必要が生じたが、本実施形態のＳＮコンテナー１０では、第１主要側壁１６の横方向における一端部を外側に膨出させて拡張膨出部１９を形成したことで、一方の第２主要側壁２０Ａと第１主要側壁１６とが拡張膨出部１９を挟んで隔絶され、第１主要側壁１６の傾斜角の変更による影響を受けない。そして、一方の第２主要側壁２０Ａの縦長膨出部２２を、その第２主要側壁２０Ａの端部において、図５に示すように拡張膨出部１９の先端角部１９Ｗに接近させて配置することができ、強度が確保される。
【００２９】
また、一方の第２主要側壁２０Ａにおける縦長膨出部２２が、拡張膨出部１９の先端角部１９Ｗに接近させた配置にしたので、他方の第２主要側壁２０Ｂにおける縦長膨出部２２を他方の第２主要側壁２０Ｂと第１主要側壁１６とがなす角部２０Ｗ寄り位置に配置しつつ、一方と他方の第２主要側壁２０Ａ，２０Ｂの間で、縦長膨出部２２，２２同士をスタッキング用にずらすことができる。
【００３０】
このように本実施形態のＳＮコンテナー１０によれば、各角部寄り位置に縦長膨出部２２がそれぞれ配置されて強度が確保されると共に、ネスティング時のカードホルダー１８の干渉を防ぐことが可能になる。また、拡張膨出部１９を形成したことで、拡張膨出部１９自体が補強リブの役割を果たし、ＳＮコンテナー１０の強度アップも図られる。さらに、上記したようにカード９０のカードホルダー１８に対する挿抜も容易になる。
【００３１】
なお、本実施形態のＳＮコンテナー１０から拡張膨出部１９を排除しかつ第１主要側壁１６の傾斜を第２主要側壁２０Ａ，２０Ｂと同等にした通常のＳＮコンテナー（図示せず）と、本実施形態のＳＮコンテナー１０とを混在させて使用してもよい。ここで、通常のＳＮコンテナーの第１主要側壁を、本実施形態のＳＮコンテナー１０における拡張膨出部１９の膨出先端壁１９Ｂと同じ位置に配置すれば、通常のＳＮコンテナーの上に本実施形態のＳＮコンテナー１０をスタッキングのみならずネスティングすることも可能になる。
【００３２】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３３】
（１）前記実施形態のＳＮコンテナー１０は、両方の第１主要側壁１６，１６にカードホルダー１８，１８を備えていたが、何れか一方の第１主要側壁にカードホルダーを備えた構成にしてもよい。
【００３４】
（２）前記実施形態のＳＮコンテナー１０は、第２主要側壁２０Ａ，２０Ｂにそれぞれ４つずつの縦長膨出部２２を備えていたが、各第２主要側壁における縦長膨出部の数は４つに限定されるものではない。
【００３５】
（３）前記実施形態では、ネスティングしたＳＮコンテナー１０，１０のフランジ部１４，１４同士が当接して第１主要側壁１６，１６の間にカードホルダー１８の収容空間が形成されていたが、ネスティング時の当接部位はフランジ部に限定されるものではない。従って、例えば、第１主要側壁又は第２主要側壁２から側方に張り出したストッパ突部（図示せず）を設け、そのストッパ突部とＳＮコンテナーの上面との当接により、第１主要側壁の間にカードホルダーの収容空間が形成される構成にしてもよい。
【００３６】
（４）前記実施形態のＳＮコンテナー１０は、図６に示すようにスタッキングした際に拡張膨出部１９の下端部が下側のＳＮコンテナー１０における角部内側に入り込む構成になっていたが、スタッキングした際に拡張膨出部の下端部が、下側のＳＮコンテナーにおけるフランジ部上面に載置される構成にしてもよい。
【図面の簡単な説明】
【００３７】
【図１】本発明の一実施形態に係るＳＮコンテナーを斜め上方から見た斜視図
【図２】そのＳＮコンテナーを斜め下方から見た斜視図
【図３】ＳＮコンテナーの側面図
【図４】ＳＮコンテナーの平面図
【図５】ＳＮコンテナーの下側部分の斜視図
【図６】ＳＮコンテナーをスタッキングした状態の斜視図
【図７】ＳＮコンテナーをスタッキングした状態の部分破断斜視図
【図８】ＳＮコンテナーをネスティングした状態の斜視図
【図９】ＳＮコンテナーをネスティングした状態の部分破断斜視図
【図１０】ＳＮコンテナーをネスティングした状態の部分破断斜視図
【図１１】ＳＮコンテナーをネスティングした状態の部分破断斜視図
【図１２】従来のＳＮコンテナーの側面図
【図１３】そのＳＮコンテナーの部分破断斜視図
【符号の説明】
【００３８】
１０    コンテナー
１４    フランジ部
１４Ｂ    カード係止部
１６    第１主要側壁
１８    カードホルダー
１９    拡張膨出部
２０Ａ，２０Ｂ    第２主要側壁
２２    縦長膨出部
２２Ｍ    受容溝
９０    カード
【図１】
0004789184.tif 000002
【図２】
0004789184.tif 000003
【図３】
0004789184.tif 000004
【図４】
0004789184.tif 000005
【図５】
0004789184.tif 000006
【図６】
0004789184.tif 000007
【図７】
0004789184.tif 000008
【図８】
0004789184.tif 000009
【図９】
0004789184.tif 000010
【図１０】
0004789184.tif 000011
【図１１】
0004789184.tif 000012
【図１２】
0004789184.tif 000013
【図１３】
0004789184.tif 000014